(57)【要約】【課題】  簡易な構成で正相信号と逆相信号との間のスキューを抑制することができる光受信装置を提供する。【解決手段】  光受信装置は、変調信号に対して遅延干渉させる遅延干渉計と、遅延干渉計から出力される相補光を電気信号に変換する受光器と、受光器が生成する電気信号から所定の周波数成分を抽出するフィルタと、相補光の光パス、または、受光器の光電変換素子から相補信号の電気信号を合成するまでのパス、に挿入された少なくとも１つのスキュー調整手段と、フィルタからの出力に基づいて相補信号の正相と逆相との時間差が減少するようにスキュー調整手段を制御する制御手段と、を備える。【選択図】  図２
2010278907.tif 000002
【特許請求の範囲】
【請求項１】
変調信号に対して遅延干渉させる遅延干渉計と、
前記遅延干渉計から出力される相補光を電気信号に変換する受光器と、
前記受光器が生成する電気信号から所定の周波数成分を抽出するフィルタと、
前記相補光の光パス、または、前記受光器の光電変換素子から前記相補信号の電気信号を合成するまでのパス、に挿入された少なくとも１つのスキュー調整手段と、
前記フィルタからの出力に基づいて、前記相補信号の正相と逆相との時間差が減少するように前記スキュー調整手段を制御する制御手段と、を備えることを特徴とする光受信装置。
【請求項２】
前記フィルタは、前記変調信号のシンボルレート周波数を含む帯域フィルタであることを特徴とする請求項１記載の光受信装置。
【請求項３】
前記制御手段は、前記フィルタの出力が極小値となるように、前記スキュー調整手段を制御することを特徴とする請求項１または２記載の光受信装置。
【請求項４】
前記変調信号のシンボルレート周波数の半分の周波数を含む帯域フィルタを含む第２フィルタをさらに備え、
前記制御部は、前記第２フィルタの出力がしきい値以下とならないように前記スキュー調整手段を制御することを特徴とする請求項１〜３のいずれかに記載の光受信装置。
【請求項５】
前記変調信号は、ＲＺ−ＤＱＰＳＫ、ＲＺ−ＱＰＳＫ、ＤＱＰＳＫ、ＤＰＳＫ、ＲＺ−ＤＰＳＫ、ＲＺ−ＰＳＫを含む偏波多重光信号であることを特徴とする請求項１〜４のいずれかに記載の光受信装置。
【請求項６】
前記スキュー調整手段は、アナログフェイズシフタチップであることを特徴とする請求項１〜５のいずれかに記載の光受信装置。
【請求項７】
前記スキュー調整手段は、バッファおよびマルチプレクサを含む遅延回路を少なくとも１つ有する可変遅延回路であることを特徴とする請求項１〜５のいずれかに記載の光受信装置。
【請求項８】
前記スキュー調整手段は、導波管を含む可変遅延線であることを特徴とする請求項１〜５のいずれかに記載の光受信装置。
【請求項９】
前記スキュー調整手段は、アクチュエータで動作するコーナーキューブであることを特徴とする請求項１〜５のいずれかに記載の光受信装置。
【請求項１０】
前記スキュー調整手段は、ＭＥＭＳミラーであることを特徴とする請求項１〜５のいずれかに記載の光受信装置。
【請求項１１】
前記スキュー調整手段は、温度に応じて屈折率が変化する導波路であることを特徴とする請求項１〜５のいずれかに記載の光受信装置。
【請求項１２】
前記スキュー調整手段は、印加される電圧に応じて屈折率が変化する導波路であることを特徴とする請求項１〜５のいずれかに記載の光受信装置。
【請求項１３】
前記スキュー調整手段は、注入される電流に応じて屈折率が変化する導波路であることを特徴とする請求項１〜５のいずれかに記載の光受信装置。
【請求項１４】
前記スキュー調整手段は、入射される光の強度に応じて屈折率が変化する導波路であることを特徴とする請求項１〜５のいずれかに記載の光受信装置。
【発明の詳細な説明】
【技術分野】
【０００１】
本発明は、光受信装置に関する。
【背景技術】
【０００２】
光通信における位相変調技術において、通信速度の向上に伴いシンボルレートの高速化が進んでいる。位相変調信号用の光受信装置は、位相変調信号を復調後、正相信号および逆相信号を光電変換部においてバランス受信している。特許文献１は、正相信号の伝送路長と逆相信号の伝送路長との差に起因する位相差を補正する技術を開示している。
【先行技術文献】
【特許文献】
【０００３】
【特許文献１】特開２００２−１１１７５０号公報
【発明の概要】
【発明が解決しようとする課題】
【０００４】
しかしながら、特許文献１の技術では、フリップフロップ回路等の複雑な構成が必要となる。
【０００５】
本発明は上記課題に鑑みなされたものであり、簡易な構成で正相信号と逆相信号との間の時間差を抑制してスキューを抑制することができる光受信装置を提供することを目的とする。
【課題を解決するための手段】
【０００６】
上記課題を解決するために、明細書開示の光受信装置は、変調信号に対して遅延干渉させる遅延干渉計と、遅延干渉計から出力される相補光を電気信号に変換する受光器と、受光器が生成する電気信号から所定の周波数成分を抽出するフィルタと、相補光の光パス、または、受光器の光電変換素子から相補信号の電気信号を合成するまでのパス、に挿入された少なくとも１つのスキュー調整手段と、フィルタからの出力に基づいて相補信号の正相と逆相との時間差が減少するようにスキュー調整手段を制御する制御手段と、を備えるものである。
【発明の効果】
【０００７】
明細書開示の光受信装置によれば、簡易な構成で正相信号と逆相信号との間の時間差を抑制してスキューを抑制することができる。
【図面の簡単な説明】
【０００８】
【図１】実施例１に係る光受信装置の概略構成を説明するためのブロック図である。
【図２】光受信装置の詳細を説明するためのブロック図である。
【図３】正相信号および逆相信号のバランス受信について説明するための図である。
【図４】正相信号と逆相信号との間のスキューと、ＢＲ出力の周波数特性との関係のシミュレーション結果を説明するための図である。
【図５】制御部によるスキュー調整手段の制御の際に実行されるフローチャートの一例を説明するための図である。
【図６】正相信号と逆相信号との時間差と、シンボル周波数強度と、の関係のシミュレーション結果について説明するための図である。
【図７】可変遅延回路をスキュー調整手段に適用した例を説明するための図である。
【図８】アクチュエータで動作するコーナーキューブを説明するための図である。
【図９】ＭＥＭＳミラーを説明するための図である。
【図１０】温度変化、注入される電流量、印加される電圧、または、入射光強度に応じて屈折率が変化する導波路を説明するための図である。
【図１１】ＢＲ出力波形を説明するための図である。
【図１２】正相信号と逆相信号との間に大幅な時間差が生じた場合の周波数強度を説明するための図である。
【図１３】実施例２に係る光受信装置について説明するための図である。
【図１４】制御部によるスキュー調整手段の制御の際に実行されるフローチャートの一例を説明するための図である。
【図１５】正相側受光器の変換効率と逆相側受光器の変換効率とのアンバランスに気韻してモニタ部の出力が変化する場合を説明するための図である。
【図１６】変調信号としてＤＱＰＳＫ信号を用いた場合の周波数強度を説明するための図である。
【図１７】変調信号としてＤＰＳＫ信号を用いた場合の周波数強度を説明するための図である。
【図１８】変調信号としてＲＺ−ＤＰＳＫ信号を用いた場合の周波数強度を説明するための図である。
【発明を実施するための形態】
【０００９】
以下、図面を参照しつつ、実施例について説明する。
【実施例１】
【００１０】
図１は、実施例１に係る光受信装置１００の概略構成を説明するためのブロック図である。図１を参照して、光受信装置１００は、例えば、ＲＺ−ＤＱＰＳＫ光信号、ＲＺ−ＱＰＳＫ光信号、ＤＱＰＳＫ光信号、ＤＰＳＫ光信号、またはＲＺ−ＤＰＳＫ光信号を含む偏波多重光信号用の光受信装置である。一例として、図１では、ＲＺ−ＤＱＰＳＫ光信号用の光受信装置が描かれている。
【００１１】
光受信装置１００は、遅延干渉計１０ａ，１０ｂおよび受光器２０ａ，２０ｂを含む。遅延干渉計１０ａは、Ｉ相（Ｉｎ−Ｐｈａｓｅ）の光信号について、１ビット時間の遅延成分と０ラジアンの位相制御がなされた成分とを干渉させて、その干渉結果を２つの出力（正相信号および逆相信号を含む相補信号）とする。この相補信号は受光器２０ａによって光電変換されて、電気信号として出力される。
【００１２】
遅延干渉計１０ｂは、Ｑ相（Ｑｕａｄｒａｔｕｒｅ−Ｐｈａｓｅ）の光信号について、１ビット時間の遅延成分と０ラジアンの位相制御がなされた成分とを干渉させて、その干渉結果を２つの出力（正相信号および逆相信号を含む相補信号）とする。この相補信号は受光器２０ｂによって光電変換されて、電気信号として出力される。
【００１３】
図２は、光受信装置１００の詳細を説明するためのブロック図である。図２においては、受光器２０ａ周辺の機器が描かれている。図１および図２を参照して、遅延干渉計１０ａからの正相信号伝送路１１には、スキュー調整手段１２が設けられている。遅延干渉計１０ａからの逆相信号伝送路１３には、スキュー調整手段１４が設けられている。
【００１４】
受光器２０ａは、デュアルピンフォトダイオード２１、スキュー調整手段２４，２５およびバランスドレシーバ２６を備える。デュアルピンフォトダイオード２１は、フォトダイオード２２，２３を備える。フォトダイオード２２の入力端子は、正相信号伝送路１１に接続されている。フォトダイオード２２の出力端子は、スキュー調整手段２４を介してバランスドレシーバ２６の一方の入力端子に接続されている。フォトダイオード２３の入力端子は、逆相信号伝送路１３に接続されている。フォトダイオード２３の出力端子は、スキュー調整手段２５を介してバランスドレシーバ２６の他方の入力端子に接続されている。
【００１５】
スキュー調整手段１２，１４，２４，２５として、例えばフェイズシフタチップを用いることができる。フェイズシフタチップの制御信号はＤＣ電圧であるため、簡易な構成で光受信装置１００を実現することができる。フェイズシフタチップとして、例えば、Ｈｉｔｔｉｔｅ社製のＨＭＣ２４７等のアナログフェイズシフタチップを用いることができる。
【００１６】
また、光受信装置１００は、フィルタ３０、モニタ部４０、および制御部５０を備える。フィルタ３０は、所定の周波数帯域を透過するバンドパスフィルタである。例えば、フィルタ３０は、光受信装置１００に入力される変調信号のシンボル周波数を含む周波数帯域を透過する狭帯域フィルタであり、好ましくはシンボル周波数を中心周波数とする狭帯域フィルタ（帯域幅０．１％程度）である。モニタ部４０は、フィルタ３０の出力強度を検出し、その検出結果を制御部５０に与える。
【００１７】
制御部５０は、ＣＰＵ（中央演算処理装置）、ＲＯＭ（リードオンリメモリ）、ＲＡＭ（ランダムアクセスメモリ）等から構成される。制御部５０は、モニタ部４０の検出結果に基づいて、スキュー調整手段１２，１４，２４，２５を制御する。
【００１８】
図３（ａ）〜図３（ｃ）は、正相信号および逆相信号のバランス受信について説明するための図である。図３（ａ）は、正相信号および逆相信号を説明するための図である。一例として、図３（ａ）においては、ＲＺ−ＤＱＰＳＫにおける正相信号および逆相信号が描かれている。
【００１９】
図３（ｂ）は、正相信号が「１」でありかつ逆相信号が「０」である場合のバランスドレシーバの出力（以下、ＢＲ出力と称す。）を説明するための図である。図３（ｃ）は、図３（ｂ）の場合におけるＢＲ出力のシミュレーション結果を説明するための図である。図３（ｃ）において、横軸は時間（ｓ）を示し、縦軸はパワー（Ｗ）を示す。
【００２０】
図４（ａ）〜図４（ｃ）は、正相信号と逆相信号との間の時間差と、ＢＲ出力の周波数特性との関係のシミュレーション結果を説明するための図である。図４（ａ）〜図４（ｃ）においては、横軸は周波数（Ｈｚ）を示し、縦軸はパワー（Ｗ）を示す。また、スペアナ解像度を２５ＭＨｚとし、シンボル周波数を２２．３ＧＨｚとし、ボーレート（１シンボルのレート）を２２．３Ｇｂｐｓとした。
【００２１】
図４（ａ）は、正相信号と逆相信号との間に時間差が生じていない場合のＢＲ出力の周波数特性を説明するための図である。図４（ｂ）は、正相信号と逆相信号との間に１ｐｓの時間差が生じた場合のＢＲ出力の周波数特性を説明するための図である。図４（ｃ）は、正相信号と逆相信号との間に２ｐｓの時間差が生じた場合のＢＲ出力の周波数特性を説明するための図である。
【００２２】
図４（ａ）〜図４（ｃ）を参照して、正相信号と逆相信号との時間差が大きくなるにつれて、シンボル周波数成分（２２．３ＧＨｚ）のパワーが増加することが確認される。したがって、シンボル周波数成分のパワーが減少するようにスキュー調整手段１２，１４，２４，２５を制御することによって、正相信号と逆相信号との間の時間差を抑制することができる。その結果、スキューを抑制することができる。
【００２３】
図５は、制御部５０によるスキュー調整手段１２，１４，２４，２５の制御の際に実行されるフローチャートの一例を説明するための図である。図５を参照して、制御部５０は、スキュー調整手段１２，１４，２４，２５に制御信号を送信する（ステップＳ１）。それにより、スキュー調整手段１２，１４，２４，２５によって正相信号と逆相信号との間のスキューが調整される（ステップＳ２）。
【００２４】
バランスドレシーバ２６は、スキューが調整された正相信号および逆相信号を受信する（ステップＳ３）。次に、モニタ部４０は、フィルタ３０を介してバランスドレシーバ２６のＢＲ出力を検出する（ステップＳ４）。次いで、制御部５０は、モニタ部４０によって検出されたＢＲ出力が極小値か否かを判定する（ステップＳ５）。なお、ＢＲ出力の極小値は、ＢＲ出力が減少から増加に転じる点を検出することによって検出される。
【００２５】
ステップＳ５においてＢＲ出力が極小値であると判定された場合、制御部５０は、フローチャートの実行を終了する。ステップＳ５においてＢＲ出力が極小値であると判定されなかった場合、制御部５０は、スキュー調整手段１２，１４，２４，２５への制御信号を変化させる（ステップＳ６）。その後、ステップＳ１から再度実行される。
【００２６】
このように、モニタ部４０において検出されるＢＲ出力が極小値になるようにスキュー調整手段１２，１４，２４，２５をフィードバック制御することによって、正相信号と逆相信号との間の時間差を抑制することができる。その結果、スキューを抑制することができる。なお、図５のフローチャートは一例であって、ＢＲ出力が減少するようにスキュー調整手段１２，１４，２４，２５を制御することによって、正相信号と逆相信号との間の時間差を抑制することができる。
【００２７】
図６は、正相信号と逆相信号との時間差と、シンボル周波数強度と、の関係のシミュレーション結果について説明するための図である。図６において、横軸は正相信号と逆相信号との時間差（ｐｓ）を示し、縦軸はシンボル周波数における強度（ｄＢｍ）を示す。図６を参照して、正相信号と逆相信号との間の時間差が０ｐｓとなる場合に、シンボル周波数における強度が最小となることが確認される。
【００２８】
本実施例においては複雑な構成が必要ないため、簡易な構成で正相信号と逆相信号との間の時間差を抑制してスキューを抑制することができる光受信装置を実現することができる。なお、スキュー調整手段は、相補光の光パス、または、受光器の光電変換素子から相補信号の電気信号を合成するまでのパス、に少なくとも１つ設けられていればよい。
【００２９】
（変形例１）
スキュー調整手段として、分岐部、バッファ、および、マルチプレクサを備える遅延回路を少なくとも１つ有する可変遅延回路を用いてもよい。図７は、この可変遅延回路をスキュー調整手段２４，２５に適用した例を説明するための図である。図７を参照して、各スキュー調整手段は、マルチプレクサ８１とバッファ８２との組合せに応じて、遅延量を変化させることができる。それにより、スキューを調整することができる。
【００３０】
（変形例２）
スキュー調整手段として、導波管遅延線路（ディレイライン）を用いてもよい。この場合、導波管遅延線路に制御信号を送信することによって、導波管遅延線路を導波する信号の遅延量を制御することができる。それにより、スキューを調整することができる。
【００３１】
（変形例３）
スキュー調整手段として、アクチュエータで動作するコーナーキューブを用いてもよい。図８は、アクチュエータで動作するコーナーキューブ８３を説明するための図である。コーナーキューブ８３は、アクチュエータの動作に応じて、コーナーキューブに入力される光の光路長を変化させる。それにより、スキューを調整することができる。
【００３２】
（変形例４）
スキュー調整手段として、ＭＥＭＳ（Ｍｉｃｒｏ  Ｅｌｅｃｔｒｏ  Ｍｅｃｈａｎｉｃａｌ  Ｓｙｓｔｅｍｓ）ミラーを用いてもよい。図９は、ＭＥＭＳミラー８４を説明するための図である。ＭＥＭＳミラー８４は、回転角度に応じて、ＭＥＭＳミラー８４に入力される光の光路長を変化させる。それにより、スキューを調整することができる。
【００３３】
（変形例５）
スキュー調整手段として、ヒータまたは電極を備える導波路を用いてもよい。図１０は、温度変化、注入される電流量、印加される電圧、または、入射光強度に応じて屈折率が変化する導波路８５を説明するための図である。導波路８５は、屈折率変化に応じて光路長を変化させる。それにより、スキューを調整することができる。
【実施例２】
【００３４】
次に、正相信号と逆相信号との時間差が１タイムスロット（１シンボル）となった場合について説明する。図１１（ａ）は、正相信号及び逆相信号の一例を説明するための図である。図１１（ａ）を参照して、正相信号が「１」でありかつ逆相信号が「０」であれば、ＢＲ出力は「１」となる。また、正相信号が「０」でありかつ逆相信号が「１」であれば、ＢＲ出力は「−１」となる。
【００３５】
正相信号と逆相信号との時間差が１タイムスロットとなった場合、正相信号と逆相信号との相関性が崩れ、ＢＲ出力が「−１」、「０」、「１」となる。図１１（ｂ）および図１１（ｃ）は、ＢＲ出力波形を説明するための図である。図１（ｂ）は、時間とＢＲ出力強度との関係を説明するための図である。図１１（ｃ）は、ＢＲ出力のアイパターンを説明するための図である。
【００３６】
正相信号と逆相信号との時間差が１タイムスロットとなった場合にはシンボル周波数における強度が低下するため、正相信号と逆相信号との間の時間差を検出しにくくなる。しかしながら、この場合には、シンボル周波数の半分の周波数において強度が減少する。図１２（ａ）を参照して、正相信号と逆相信号との時間差が１タイムスロットとなった場合には、シンボル周波数の半分の周波数（１１．１５ＧＨｚ程度）において強度が減少する。なお、図１２（ｂ）を参照して、正相信号と逆相信号との間に時間差が生じていない場合には、図１２（ａ）のような強度減少は検出されない。以上のことから、図１２（ａ）の強度減少を検出することによって、正相信号と逆相信号との間の大幅な時間差を検出することができる。
【００３７】
図１３は、実施例２に係る光受信装置１００ａについて説明するための図である。図１３を参照して、光受信装置１００ａが実施例１に係る光受信装置１００と異なる点は、フィルタ６０およびモニタ部７０をさらに備える点である。フィルタ６０は、光受信装置１００に入力される変調信号のシンボル周波数の半分の周波数を含む周波数帯域を透過する狭帯域フィルタであり、好ましくはシンボル周波数の半分の周波数を中心周波数とする狭帯域フィルタである。モニタ部７０は、フィルタ６０の出力強度を検出し、その検出結果を制御部５０に与える。
【００３８】
図１４は、制御部５０によるスキュー調整手段１２，１４，２４，２５の制御の際に実行されるフローチャートの一例を説明するための図である。図１４を参照して、制御部５０は、スキュー調整手段１２，１４，２４，２５に制御信号を送信する（ステップＳ１１）。それにより、スキュー調整手段１２，１４，２４，２５によって正相信号と逆相信号との間のスキューが調整される（ステップＳ１２）。
【００３９】
バランスドレシーバ２６は、スキューが調整された正相信号および逆相信号を受信する（ステップＳ１３）。次に、モニタ部７０は、フィルタ６０を介してバランスドレシーバ２６のＢＲ出力を検出する（ステップＳ１４）。次いで、制御部５０は、モニタ部７０によって検出されたＢＲ出力がしきい値以下になっていないか否かを判定する（ステップＳ１５）。
【００４０】
ステップＳ１５においてＢＲ出力がしきい値以下になっていると判定されなかった場合、制御部５０は、フローチャートの実行を終了する。ステップＳ１５においてＢＲ出力がしきい値以下になっていると判定された場合、制御部５０は、スキュー調整手段１２，１４，２４，２５への制御信号を変化させる（ステップＳ１６）。その後、ステップＳ１１から再度実行される。
【００４１】
このように、モニタ部７０において検出されるＢＲ出力がしきい値以下にならないようにスキュー調整手段１２，１４，２４，２５をフィードバック制御することによって、正相信号と逆相信号との間のスキューを抑制することができる。本実施例においては、正相信号と逆相信号との間に大幅な時間差が生じた場合にも、正相信号と逆相信号との位相差を抑制することができる。
【００４２】
ところで、スキュー以外の要因に起因してモニタ部４０，７０の出力が変化することがある。例えば、正相側受光器または逆相側受光器の変換効率のアンバランス、入力パワーのアンバランス等があげられる。図１５は、正相側受光器の変換効率と逆相側受光器の変換効率とのアンバランスに起因してモニタ部４０，７０の出力が変化する場合を説明するための図である。図１５は、逆相側受光器の変換効率が１．０Ａ／Ｗである場合を表している。しかしながら、これらのアンバランスは、光電変換素子の直流出力をモニタすることによって切り分けることができる。
【００４３】
図１６（ａ）〜図１６（ｃ）は、変調信号としてＤＱＰＳＫ信号を用いた場合の周波数強度を説明するための図である。図１６（ａ）は、正相信号と逆相信号との時間差と、シンボル周波数強度と、の関係のシミュレーション結果について説明するための図である。図１６（ａ）を参照して、変調信号としてＤＱＰＳＫ信号を用いた場合においても、正相信号と逆相信号との間の時間差が０ｐｓとなる場合に、シンボル周波数における強度が最小となることが確認される。
【００４４】
図１６（ｂ）は、正相信号と逆相信号との間に時間差が生じていない場合の周波数強度を説明するための図である。図１６（ｃ）は、正相信号と逆相信号との時間差が１タイムスロットとなった場合の周波数強度を説明するための図である。図１６（ｃ）を参照して、変調信号としてＤＱＰＳＫ信号を用いた場合においても、シンボル周波数の半分の周波数（１１．１５ＧＨｚ程度）において強度が減少する。したがって、図１６（ｃ）の強度減少を検出することによって、正相信号と逆相信号との間の大幅な時間差を検出することができる。
【００４５】
図１７（ａ）〜図１７（ｃ）は、変調信号としてＤＰＳＫ信号を用いた場合の周波数強度を説明するための図である。図１７（ａ）は、正相信号と逆相信号との時間差と、シンボル周波数強度と、の関係のシミュレーション結果について説明するための図である。図１７（ａ）を参照して、変調信号としてＤＰＳＫ信号を用いた場合においても、正相信号と逆相信号との間の時間差が０ｐｓとなる場合に、シンボル周波数における強度が最小となることが確認される。
【００４６】
図１７（ｂ）は、正相信号と逆相信号との間に時間差が生じていない場合の周波数強度を説明するための図である。図１７（ｃ）は、正相信号と逆相信号との時間差が１タイムスロットとなった場合の周波数強度を説明するための図である。図１７（ｃ）を参照して、変調信号としてＤＰＳＫ信号を用いた場合においても、シンボル周波数の半分の周波数（１１．１５ＧＨｚ程度）において強度が減少する。したがって、図１７（ｃ）の強度減少を検出することによって、正相信号と逆相信号との間の大幅な時間差を検出することができる。
【００４７】
図１８（ａ）〜図１８（ｃ）は、変調信号としてＲＺ−ＤＰＳＫ信号を用いた場合の周波数強度を説明するための図である。図１８（ａ）は、正相信号と逆相信号との時間差と、シンボル周波数強度と、の関係のシミュレーション結果について説明するための図である。図１８（ａ）を参照して、変調信号としてＲＺ−ＤＰＳＫ信号を用いた場合においても、正相信号と逆相信号との間の時間差が０ｐｓとなる場合に、シンボル周波数における強度が最小となることが確認される。
【００４８】
図１８（ｂ）は、正相信号と逆相信号との間に時間差が生じていない場合の周波数強度を説明するための図である。図１８（ｃ）は、正相信号と逆相信号との時間差が１タイムスロットとなった場合の周波数強度を説明するための図である。図１８（ｃ）を参照して、変調信号としてＲＺ−ＤＰＳＫ信号を用いた場合においても、シンボル周波数の半分の周波数（１１．１５ＧＨｚ程度）において強度が減少する。したがって、図１８（ｃ）の強度減少を検出することによって、正相信号と逆相信号との間の大幅な時間差を検出することができる。
【００４９】
このように、いずれの位相変調信号に対しても実施例１および実施例２を適用することができる。
【００５０】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００５１】
１０  遅延干渉計
１１  正相信号伝送路
１２，１４  スキュー調整手段
１３  逆相信号伝送路
２０  受光器
２１  デュアルピンフォトダイオード
２２，２３  フォトダイオード
２４，２５  スキュー調整手段
２６  バランスドレシーバ
３０  フィルタ
４０  モニタ部
５０  制御部
６０  フィルタ
７０  モニタ部
１００  光受信装置
【図１】
2010278907.tif 000003
【図２】
2010278907.tif 000004
【図３】
2010278907.tif 000005
【図４】
2010278907.tif 000006
【図５】
2010278907.tif 000007
【図６】
2010278907.tif 000008
【図７】
2010278907.tif 000009
【図８】
2010278907.tif 000010
【図９】
2010278907.tif 000011
【図１０】
2010278907.tif 000012
【図１１】
2010278907.tif 000013
【図１２】
2010278907.tif 000014
【図１３】
2010278907.tif 000015
【図１４】
2010278907.tif 000016
【図１５】
2010278907.tif 000017
【図１６】
2010278907.tif 000018
【図１７】
2010278907.tif 000019
【図１８】
2010278907.tif 000020